(57)【要約】【課題】本発明は回路保護装置及びその方法を提供する。【解決手段】本発明は、温度検出ユニットで第一回路の第一温度を検出することによって、第一温度が温度しきい値を超えるか否かを判断する。第一温度が温度しきい値より小さい時に、第一回路を介して第二回路を駆動する前記電源信号を送信する。その後、温度検出ユニットは第一温度と第二回路の第二温度の一つが温度しきい値を超えるか否かを判断する。第一温度と第二温度が温度しきい値より小さい時に、電流検出ユニットは電源信号に対応する電流信号を検出ことにとって、第二回路に供給される電源信号を切るか否かを決定する。【選択図】図１
2011078297.tif 000002
【特許請求の範囲】
【請求項１】
ホストシステムを第一回路に接続され、且つ第一回路が選択できるように第二回路に電気的に接続される回路保護装置であって、
前記ホストシステムと、前記第一回路と、前記第二回路とをそれぞれ接続され、前記ホストシステムが第一回路に供給される電源信号を制御する処理ユニットと、
前記処理ユニットと、前記第一回路と、前記第二回路とをそれぞれ接続され、前記第一回路の第一温度を検出し、前記第一温度が温度しきい値を超えるか否かを判断して、前記第一温度が前記温度しきい値より小さい時に、前記第二回路を駆動する前記電源信号を送信し、且つ前記第二回路が前記第一回路に電気的に接続された時に、前記第一温度と前記第二回路の第二温度の一つが前記温度しきい値を超えるか否かを判断する温度検出ユニットと、
前記処理ユニットと、前記第一回路と、前記第二回路とをそれぞれ接続され、前記第一温度と前記第二温度が前記温度しきい値より小さい時に、前記電源信号に対応する電流信号を検出し、前記電流信号が電流しきい値を超えるか否かを判断する電流検出ユニットとを含み、
前記電流信号は前記電流しきい値より小さい時に、前記温度検出ユニットが前記第一温度と前記第二回路の第二温度の一つが前記温度しきい値を超えるか否かを判断して続けることを特徴とする回路保護装置。
【請求項２】
前記電源信号を切換えるために前記ホストシステムと前記第一回路の間に設けられて、且つ前記処理ユニットが第一電圧イネーブル信号によって、制御されられる第一切換スイッチをさらに含むことを特徴とする請求項１に記載の回路保護装置。
【請求項３】
前記第一回路の前記第一温度が温度しきい値を超えた時に、前記処理ユニットは前記ホストシステムを制御して、前記第一回路に供給される前記電源信号を切ることを特徴とする請求項１に記載の回路保護装置。
【請求項４】
前記第一温度と前記第二回路の第二温度の一つが前記温度しきい値を超えた、且つ前記第二回路が前記第一回路に電気的に接続された時に、前記処理ユニットは前記第一回路から前記第二回路に供給される前記電源信号を切ることを特徴とする請求項１に記載の回路保護装置。
【請求項５】
前記電源信号を切換えるために前記第一回路と前記第二回路の間に設けられて、且つ前記処理ユニットが第二電圧イネーブル信号によって、制御されられる第二切換スイッチをさらに含むことを特徴とする請求項１に記載の回路保護装置。
【請求項６】
前記電流信号が電流しきい値を超えた時に、前記処理ユニットは前記第一回路が前記第二回路に供給される前記電源信号を切ることを特徴とする請求項１に記載の回路保護装置。
【請求項７】
前記電流検出ユニットは、前記電源信号の電流続ける時間を検出することを特徴とする請求項１に記載の回路保護装置。
【請求項８】
前記電流検出ユニットは、前記電流続ける時間が続ける時間しきい値を超えるか否かを判断して、前記電流続ける時間が前記続ける時間しきい値を超えた時に、前記処理ユニットは前記第一回路が前記第二回路に供給される前記電源信号を切ることを特徴とする請求項７に記載の回路保護装置。
【請求項９】
前記温度検出ユニットはさらに、前記処理ユニットに接続され、温度設定信号を解析して前記温度しきい値を形成する復号器と、
前記第一温度と前記第二温度を検出する温度検出器と、
前記温度検出器と前記復号器に接続され、前記第一回路の前記第一温度と、前記第二回路の前記第二温度とをそれぞれ前記温度しきい値と比較する比較器とを含むことを特徴する請求項１に記載の回路保護装置。
【請求項１０】
前記電流検出ユニットはさらに、前記第一回路に接続され、前記電源信号に対応する電流信号を検出する電流検出器と、
前記処理ユニットに接続され、前記電流信号の電流続ける時間を計時する計時器とを含むことを特徴する請求項１に記載の回路保護装置。
【請求項１１】
前記処理ユニットは前記計時器を制御することよって、前記電流続ける時間が続ける時間しきい値を超えるか否かを判断して、前記電流続ける時間が前記続ける時間しきい値を超えた時に、前記処理ユニットは前記第一回路が前記第二回路に供給される前記電源信号を切ることを特徴とする請求項１０に記載の回路保護装置。
【請求項１２】
前記電流続ける時間が前記続ける時間しきい値をえなかった時に、前記電流検出ユニットは、前記電流続ける時間をリセットし、且つ前記電流信号の前記電流続ける時間を計時して続けることを特徴とする請求項１１に記載の回路保護装置。
【請求項１３】
温度検出ユニットと電流検出ユニットとを含み、ホストシステムを第一回路に接続され、且つ第一回路が選択できるように第二回路に電気的に接続される回路保護装置に用いられる回路保護方法であって、
（ａ）前記回路保護装置は処理ユニットでホストシステムを制御することによって、前記ホストシステムが前記第一回路に電源信号を供給する工程と、
（ｂ）前記温度検出ユニットを起動して、前記第一回路の第一温度を検出する工程と、
（ｃ）前記温度検出ユニットで前記第一温度が温度しきい値を超えるか否かを判断する工程と、
（ｄ）前記第一回路の前記第一温度が前記温度しきい値より小さい時に、前記第二回路を前記第一回路に電気的に接続され、前記第一回路を介して前記第二回路を駆動する前記電源信号を送信する工程と、
（ｅ）前記第一回路の前記第一温度が前記温度しきい値より小さい時に、前記温度検出ユニットは前記第一回路の前記第一温度と前記第二回路の第二温度の一つが前記温度しきい値を超えるか否かを判断する工程と、
（ｆ）前記第一回路の前記第一温度と前記第二回路の前記第二温度が前記温度しきい値より小さい時に、前記電流検出ユニットで前記電源信号に対応する電流信号を検出する工程と、
（ｇ）前記電流検出ユニットは前記電流信号が電流しきい値を超えるか否かを判断すると、前記電流信号が電流しきい値を超えなかった時に、工程（ｅ）へ返す工程とを含むことを特徴とする回路保護方法。
【請求項１４】
（ａ）工程において、前記処理ユニットは第一電圧イネーブル信号によって、前記電源信号を切換えることを特徴とする請求項１３に記載の回路保護方法。
【請求項１５】
（ｃ）工程において、前記第一回路の前記第一温度が温度しきい値を超えた時に、前記回路保護装置は前記ホストシステムを制御して、前記第一回路に供給される前記電源信号を切ることを特徴とする請求項１３に記載の回路保護方法。
【請求項１６】
（ｅ）工程において、前記第一温度と前記第二回路の第二温度の一つが前記温度しきい値を超えた時に、前記処理ユニットは前記第一回路から前記第二回路に供給される前記電源信号を切ることを特徴とする請求項１３に記載の回路保護方法。
【請求項１７】
（ｅ）工程において、前記処理ユニットは第二電圧イネーブル信号によって、前記電源信号を切換えることを特徴とする請求項１６に記載の回路保護方法。
【請求項１８】
（ｇ）工程において、前記電流信号が電流しきい値を超えた時に、前記処理ユニットは第二電圧イネーブル信号によって、前記第一回路が前記第二回路に供給される前記電源信号を切ることを特徴とする請求項１３に記載の回路保護方法。
【請求項１９】
（ｇ）工程はさらに、
（ｇ１）前記電流検出ユニットは前記電源信号の電流続ける時間を検出する工程と、
（ｇ２）前記電流続ける時間が続ける時間しきい値を超えるか否かを判断して、前記電流続ける時間が前記続ける時間しきい値を超えた時に、前記処理ユニットは前記第一回路が前記第二回路に供給される前記電源信号を切る工程とを含むことを特徴とする請求項１３に記載の回路保護方法。
【請求項２０】
（ｇ２）工程において、前記電流続ける時間が前記続ける時間しきい値をえなかった時に、前記電流検出ユニットは、前記電流続ける時間をリセットし、且つ前記電流信号の前記電流続ける時間を計時して続けることを特徴とする請求項１９に記載の回路保護方法。
【請求項２１】
（ｇ）工程の後、（ｈ）前記処理ユニットは前記ホストシステムへ前記第一回路の前記第一温度、前記第二回路の前記第二温度、前記電流信号を回報する工程をさらに含むことを特徴とする請求項１３に記載の回路保護方法。
【発明の詳細な説明】
【技術分野】
【０００１】
本発明は保護装置及びその方法に関し、特に回路保護装置及びその方法に関する。
【背景技術】
【０００２】
回路システム中に、回路装置が素子として操作され、必要な電力の電源が提供される時に回路装置の過電流は大きい過ぎる問題及び回路素子のオーバーヒートの問題がある。従来技術において、供給される電流が設定のしきい値を超えたとき、素子の熱エネルギーが急に高くなったことは回路素子のオーバーヒートの主な原因である。その解決方法は、回路装置に供給される電流が設定のしきい値を超えるか否かを判断する。電流は設定のしきい値を超えた時に、オーバーロード（ｏｖｅｒｌｏａｄ）の保護装置が起動される。すなわち、オーバーロード（ｏｖｅｒｌｏａｄ）の保護装置の起動か否かは限流回路の制御によって、作動できるようになる。その欠点は、電流は正常範囲になって、回路装置の温度が温度のしきい値を超えなければ、保護装置は起動されなかった。すなわち、電流はしきい値を超えか否かのみによって、回路素子はオーバーヒートになるか否かを判断することでは、適時的に、正しくオーバーヒートの状態を検出することができなくなった。回路装置はオーバーヒートになると、不具合が出て来た。従って、前述従来技術の回路保護装置の問題を解決するための改善が望まれていた。
【発明の概要】
【発明が解決しようとする課題】
【０００３】
本発明の一つの目的は、電流がしきい値を超える前、またはしきい値を超えた後に、正しく回路システムはオーバーヒートになるか否かを検出する回路保護装置及びその方法を提供することを課題とする。
【課題を解決するための手段】
【０００４】
上記目的を達成するために、本発明によれば、回路保護装置及びその方法が提供される。前記回路保護装置は、処理ユニット、温度検出ユニット、電流検出ユニット、第一切換スイッチ及び第二切換スイッチを含む。処理ユニットは、ホストシステムが第一回路に供給される電源信号（ＳＰ）を制御するために用いられる。一実施例中に、前記処理ユニットはＵＳＢ規格により、前記ホストシステムが前記第一回路に供給される電圧信号を制御する。前記温度検出ユニットは、前記第一回路の第一温度（Ｔ１）を検出することによって、前記第一温度（Ｔ１）が温度しきい値（Ｔ_ＴＨ）を超えるか否かを判断する。前記第一温度（Ｔ１）が前記温度しきい値（Ｔ_ＴＨ）より小さい時に、前記電源信号（ＳＰ）を送信して、前記第二回路を駆動する。且つ前記第二回路が前記第一回路に電気的に接続された時に、前記温度検出ユニットは、前記第一温度（Ｔ１）と前記第二回路の第二温度（Ｔ２）の一つが前記温度しきい値（Ｔ_ＴＨ）を超えるか否かを判断する。
【０００５】
前記第一回路の前記第一温度（Ｔ１）が温度しきい値（Ｔ_ＴＨ）を超えた時に、前記処理ユニットは前記ホストシステムを制御して、前記第一回路に供給される前記電源信号（ＳＰ）を切る。前記第一回路の前記第一温度（Ｔ１）と前記第二回路の第二温度（Ｔ２）の一つが前記温度しきい値（Ｔ_ＴＨ）を超えた、且つ前記第二回路が前記第一回路に電気的に接続された時に、前記処理ユニットは前記第一回路から前記第二回路に供給される前記電源信号（ＳＰ）を切る。
【０００６】
前記第一回路の前記第一温度（Ｔ１）と前記第二回路の第二温度（Ｔ２）が前記温度しきい値（Ｔ_ＴＨ）より小さい時に、前記電流検出ユニットは、前記電源信号（ＳＰ）に対応する電流信号（ＳＩ）を検出することによって、前記電流信号（ＳＩ）が電流しきい値（Ｉ_ＴＨ）を超えるか否かを判断する。前記電流信号（ＳＩ）が電流しきい値（Ｉ_ＴＨ）より小さい時に、前記温度検出ユニットは、前記第一温度（Ｔ１）と前記第二回路の第二温度（Ｔ２）の一つが前記温度しきい値（Ｔ_ＴＨ）を超えるか否かを判断して続ける。
【０００７】
また、本発明の回路保護方法は、以下の工程を含む。
【０００８】
工程（ａ）において、前記回路保護装置は、処理ユニットでホストシステムを制御することによって、前記ホストシステムが前記第一回路に電源信号を供給する。
【０００９】
工程（ｂ）において、前記温度検出ユニットを起動して、前記第一回路の第一温度を検出する。
【００１０】
工程（ｃ）において、前記温度検出ユニットが前記第一温度が温度しきい値を超えるか否かを判断する。
【００１１】
工程（ｄ）において、前記第一回路の前記第一温度が前記温度しきい値より小さい時に、前記第二回路を前記第一回路に電気的に接続され、前記第一回路を介して前記第二回路を駆動する前記電源信号を送信する。
【００１２】
工程（ｅ）において、前記第一回路の前記第一温度が前記温度しきい値より小さい時に、前記温度検出ユニットは前記第一回路の前記第一温度と前記第二回路の第二温度の一つが前記温度しきい値を超えるか否かを判断する。
【００１３】
工程（ｆ）において、前記第一回路の前記第一温度と前記第二回路の前記第二温度が前記温度しきい値より小さい時に、前記電流検出ユニットは前記電源信号に対応する電流信号を検出する。
【００１４】
工程（ｇ）において、前記電流検出ユニットは前記電流信号が電流しきい値を超えるか否かを判断すると、前記電流信号が電流しきい値を超えなかった時に、工程（ｅ）へ返す。
【発明の効果】
【００１５】
本発明により、電流がしきい値を超える前、またはしきい値を超えた後に、正しく回路システムはオーバーヒートになるか否かを検出することができる。
【図面の簡単な説明】
【００１６】
【図１】この発明の一実施の形態に係る回路保護装置を有する回路システムの回路図である。
【図２】この発明の図１の回路保護装置の詳しい回路図である。
【図３】この発明の一実施の形態に係る回路保護方法を示すフローチャートである。
【発明を実施するための形態】
【００１７】
図１は、この発明の一実施の形態に係る回路保護装置１００を有する回路システム１０２の回路図である。回路保護装置１００は、ホストシステム１０４を第一回路１０６に接続され、且つ第一回路１０６が選択できるように第二回路１０８に電気的に接続される。回路保護装置１００は、処理ユニット１１０、温度検出ユニット１１２、電流検出ユニット１１４、第一切換スイッチ（ＳＷ１）１１６及び第二切換スイッチ（ＳＷ２）１１８を含む。処理ユニット１１０はホストシステム１０４と、第一回路１０６と、第二回路１０８と、温度検出ユニット１１２と、電流検出ユニット１１４とをそれぞれ接続される。電流検出ユニットは、第一回路１０６と、第二回路１０８とをそれぞれ接続される。第一切換スイッチ（ＳＷ１）１１６は、ホストシステム１０４と第一回路１０６の間に設けられる。第二切換スイッチ（ＳＷ２）１１８は、第一回路１０６と、第二回路１０８の間に設けられる。一つ実施例中に、第一回路１０６は電源供給功能を有するカードリーダー（ｃａｒｄ  ｒｅａｄｅｒ）或いはハブ（ｈｕｂ）である。第一回路１０６はカードリーダーである場合に、第二回路１０８は例えば、各種類のメモリカードである。メモリカードのインタフェースに基づいて、前述各種類のメモリカードの分類は例えば、ＳＤメモリーカード（Ｓｅｃｕｒｉｔｙ  Ｄｉｇｉｔａｌ  Ｃａｒｄ）、メモリースティック  カード（Ｍｅｍｏｒｙ  Ｓｔｉｃｋ  Ｃａｒｄ）、ＣＦカード（Ｃｏｍｐａｃｔ  Ｆｌａｓｈ  Ｃａｒｄ）、マルチメディアカード（Ｍｕｌｔｉ−Ｍｅｄｉａ  Ｃａｒｄ）である。第一回路１０６はハブである場合に、第二回路１０８は例えば、ハブ内部に設けられた制御回路である。
【００１８】
処理ユニット１１０はホストシステム１０４を制御することによって、ホストシステム１０４が第一回路１０６に電源信号（ＳＰ）を供給する。一つ実施例中に、処理ユニット１１０は第一電圧イネーブル信号（ＥＮ_Ｖ１）を利用して、ホストシステム１０４と第一回路１０６の間に設けられる第一切換スイッチ（ＳＷ１）１１６を制御する。処理ユニット１１０は例えば、ＵＳＢ規格により、ホストシステム１０４を制御して、第一回路１０６に電圧信号を供給される。温度検出ユニット１１２は第一回路１０６の第一温度（Ｔ１）を検出することによって、第一温度（Ｔ１）が温度しきい値（Ｔ_ＴＨ）を超えるか否かを判断する。処理ユニット１１０は例えば、温度イネーブル信号（ＥＮ_Ｔ）を利用して、温度検出ユニット１１２の起動を制御することによって、第一温度（Ｔ１）の検出開始か否かを決定する。第一温度（Ｔ１）が温度しきい値（Ｔ_ＴＨ）より小さい時に、電源信号（ＳＰ）が第一回路１０６を介して送信され、第二回路１０８を駆動する。第一回路１０６の第一温度（Ｔ１）が温度しきい値（Ｔ_ＴＨ）を超えた時に、処理ユニット１１０はホストシステム１０４を制御して、第一切換スイッチ（ＳＷ１）１１６を切換えて、第一回路１０６に供給される電源信号（ＳＰ）を切る。
【００１９】
第二回路１０８が第一回路１０６に電気的に接続された時に、温度検出ユニット１１２は、第一回路１０６の第一温度（Ｔ１）と第二回路１０８の第二温度（Ｔ２）の一つが温度しきい値（Ｔ_ＴＨ）を超えるか否かを判断する。第一回路１０６の第一温度（Ｔ１）と第二回路１０８の第二温度（Ｔ２）の一つが温度しきい値（Ｔ_ＴＨ）を超えた時に、処理ユニット１１０は第二切換スイッチ（ＳＷ２）１１８を切換えて、第一回路１０６が第二回路１０８に供給される電源信号（ＳＰ）を切る。処理ユニット１１０は例えば、第二電圧イネーブル信号（ＥＮ_Ｖ２）を利用して、第二切換スイッチ（ＳＷ２）１１８を制御する。
【００２０】
第二回路１０８が第一回路１０６に電気的に接続された、且つ第一回路１０６の第一温度（Ｔ１）と第二回路１０８の第二温度（Ｔ２）が温度しきい値（Ｔ_ＴＨ）より小さい時に、電流検出ユニット１１４は、電源信号（ＳＰ）に対応する電流信号（ＳＩ）を検出することによって、電流信号（ＳＩ）が電流しきい値（Ｉ_ＴＨ）を超えるか否かを判断する。電流信号（ＳＩ）が電流しきい値（Ｉ_ＴＨ）より小さい時に、温度検出ユニット１１４は、第一温度（Ｔ１）と第二温度（Ｔ２）の一つが温度しきい値（Ｔ_ＴＨ）を超えるか否かを判断して続ける。
【００２１】
電流信号（ＳＩ）が電流しきい値（Ｉ_ＴＨ）を超えた、且つ第二回路１０８が第一回路１０６に電気的に接続されない時に、処理ユニット１１０は、ホストシステム１０４と第一回路１０６の間に設けられる第一切換スイッチ（ＳＷ１）１１６を切換えて、第一回路１０６が第二回路１０８に供給される電源信号（ＳＰ）を切る。一つ実施例中に、電流検出ユニット１１４は、電流信号（ＳＩ）の電流続ける時間を計時して、電流続ける時間が続ける時間しきい値を超えるか否かを判断する。電流続ける時間が前記続ける時間しきい値を超えた時に、処理ユニット１１０は第二切換スイッチ（ＳＷ２）１１８を切換えて、第一回路１０６から第二回路１０８に供給される電源信号（ＳＰ）を切る。なお、処理ユニット１１０は、ホストシステム１０４へ第一回路１０６の第一温度（Ｔ１）と、第二回路１０８の第二温度（Ｔ２）及び電流信号を回報する。
【００２２】
前述のように、本発明の回路保護装置１００は、処理ユニット１１０を利用して、同期で温度検出ユニット１１２と電流検出ユニット１１４を制御する。主に温度検出ユニット１１２が検出された第一回路１０６及び/或いは第二回路１０８の温度に基づく、電流検出ユニット１１４は前記温度の検出結果に基づいて、電流の検出が行われるか否かと、第一回路１０６が第二回路１０８に電源を供給されるか否かを決定する。有効的に回路システムのオーバーロード（ｏｖｅｒｌｏａｄ）或いは、オーバーヒート（ｏｖｅｒｈｅａｔ）現象を防止することができる。特に第一回路１０６はホストシステム１０４からの電源を受け取った後、または第一回路１０６が第二回路１０８に電源を供給後に、正しく第一温度（Ｔ１）及び第二温度（Ｔ２）を検出することができ、且つ第一回路１０６は第二回路１０８に電源を供給前、有効的に回路システムの電流がしきい値を超えた前、またはしきい値を超えた後に、回路システムのオーバーヒート（ｏｖｅｒｈｅａｔ）問題を解決する。
【００２３】
図１及び図２を参照する。図２はこの発明の図１の回路保護装置の詳しい回路図である。処理ユニット１１０は温度検出ユニット１１２と、電流検出ユニット１１４とをそれぞれ接続される。温度検出ユニット１１２は復号器２００、温度検出器２０２及び比較器２０４を含む。復号器２００は処理ユニット１１０と比較器２０４に接続される。比較器２０４は温度検出器２０２、処理ユニット１１０及び復号器２００に接続される。復号器２００は温度設定信号（Ｔ_ＳＥＬ）を解析して温度しきい値（Ｔ_ＴＨ）を形成する。一実施例中に、温度設定信号（Ｔ_ＳＥＬは例えば、２ビット（Ｂｉｔ）の信号である。各ビット組合は一つ温度設定値である。復号器２００は２ビットの信号を解析し、四つ温度しきい値の設定を形成する。温度検出器２０２は第一回路１０６の第一温度（Ｔ１）を検出する。比較器２０４は第一回路１０６の第一温度（Ｔ１）と、第二回路１０８の第二温度（Ｔ２）とをそれぞれ温度しきい値（Ｔ_ＴＨ）と比較する。一実施例中に、温度検出器２０２は第一温度（Ｔ１）と第二温度（Ｔ２）を電圧値に変換する。比較器２０４は前述電圧値を温度しきい値（Ｔ_ＴＨ）に対する電圧値と比較する。
【００２４】
電流検出ユニット１１４は電流検出器２０６と計時器２０８を含む。電流検出器２０６は第一回路１０６、第二回路１０８及び計時器２０８に接続される。計時器２０８は電流検出器２０６と処理ユニット１１０に接続される。電流検出器２０６は電源信号（ＳＰ）に対応する電流信号を検出する。計時器２０８は電流信号の電流続ける時間を検出して計時する。処理ユニット１１０は計時器２０８制御して、前述電流続ける時間が電流続ける時間が続ける時間しきい値を超えるか否かを判断する。電流続ける時間が前述続ける時間しきい値を超えた時に、回路保護装置１００は第一回路１０６が第二回路１０８に供給される電源信号（ＳＰ）を切る。電流続ける時間が前述続ける時間しきい値をえなかった時に、電流検出ユニット１１４は、電流続ける時間をリセットする。
【００２５】
図１〜図３を参照する。図３はこの発明の一実施の形態に係る回路保護方法を示すフローチャートである。この回路保護方法は回路保護装置１００に用いられてる。回路保護装置１００はホストシステム１０４を第一回路１０６に接続する。回路保護装置１００は処理ユニット１１０、温度検出ユニット１１２、電流検出ユニット１１４、第一切換スイッチ（ＳＷ１）１１６及び第二切換スイッチ（ＳＷ２）１１８を含む。電流検出ユニット１１４は第一回路１０６を第二回路１０８に接続する。前述回路保護方法は下記の工程を含む。
【００２６】
工程Ｓ３００において、回路保護装置１００は処理ユニット１１０でホストシステム１０４を制御することによって、前記ホストシステム１０４が第一回路１０６に電源信号（ＳＰ）を供給される。一つ実施例中に、処理ユニット１１０は第一電圧イネーブル信号（ＥＮ_Ｖ１）を利用して、ホストシステム１０４と第一回路１０６の間に設けられる第一切換スイッチ（ＳＷ１）１１６を制御する。
【００２７】
工程Ｓ３０２において、温度検出ユニット１１２を起動して、第一回路１０６の第一温度（Ｔ１）を検出する。ここで、温度イネーブル信号（ＥＮ_Ｔ）が利用され、温度検出ユニット１１２の起動を制御することによって、第一温度（Ｔ１）の検出開始か否かを決定する。
【００２８】
工程Ｓ３０４において、第二回路１０８が第一回路１０６に電気的に接続されない時に、温度検出ユニット１１２は第一回路１０６の第一温度（Ｔ１）が温度しきい値（Ｔ_ＴＨ）を超えるか否かを判断する。
【００２９】
工程Ｓ３０６において、第一回路１０６の第一温度（Ｔ１）が温度しきい値（Ｔ_ＴＨ）より小さい時に、第二回路１０８は第一回路１０６に電気的に接続されたと、電源信号（ＳＰ）が第一回路１０６を介して第二回路１０８に送信される。工程Ｓ３０７に示すように、第一回路１０６の第一温度（Ｔ１）が温度しきい値（Ｔ_ＴＨ）を超えた時に、処理ユニット１１０は第一切換スイッチ（ＳＷ１）１１６を切換えて、第一回路１０６に供給される電源信号（ＳＰ）を切る。
【００３０】
工程Ｓ３０８において、第二回路１０８が第一回路１０６に電気的に接続された時に、温度検出ユニット１１２は、第一回路１０６の第一温度（Ｔ１）と第二回路１０８の第二温度（Ｔ２）の一つが温度しきい値（Ｔ_ＴＨ）を超えるか否かを判断する。
【００３１】
工程Ｓ３１０において、第一回路１０６の第一温度（Ｔ１）と第二回路１０８の第二温度（Ｔ２）が温度しきい値（Ｔ_ＴＨ）より小さい時に、電流検出ユニット１１４は電源信号（ＳＰ）に対応する電流信号を検出する。工程Ｓ３２０に示すように、第一回路１０６の第一温度（Ｔ１）と第二回路１０８の第二温度（Ｔ２）の一つが温度しきい値（Ｔ_ＴＨ）を超えた時に、処理ユニット１１０は、第一回路１０６と第二回路１０８の間に設けられる第二切換スイッチ（ＳＷ２）１１８を切換えて、第一回路１０６が第二回路１０８に供給される電源信号（ＳＰ）を切る。例えば、第二電圧イネーブル信号（ＥＮ_Ｖ２）が利用され、第二切換スイッチ（ＳＷ２）１１８を制御する。
【００３２】
工程Ｓ３１２において、電流検出ユニット１１４は、電流信号が電流しきい値（Ｉ_ＴＨ）を超えるか否かを判断する。電流信号が電流しきい値（Ｉ_ＴＨ）を超えなかった時に、工程Ｓ３０８に返す。すなわち、第一回路１０６の第一温度（Ｔ１）と第二回路１０８の第二温度（Ｔ２）の一つが温度しきい値（Ｔ_ＴＨ）を超えるか否かを判断する。もしそうでなければ、工程Ｓ３１４を行う。
【００３３】
工程Ｓ３１４において、電流続ける時間が前述の続ける時間しきい値を超えた時に、電流検出ユニット１１４は、電流信号の前述の電流続ける時間を計時する。
【００３４】
工程Ｓ３１６において、処理ユニット１１０は、前述の電流続ける時間が続ける時間しきい値を超えるか否かを判断する。工程Ｓ３２０に示すように、前述の電流続ける時間が続ける時間しきい値を超えた時に、第一回路１０６と第二回路１０８の間に設けられる第二切換スイッチ（ＳＷ２）１１８を切換えて、第一回路１０６から第二回路１０８に供給される電源信号（ＳＰ）を切る。
【００３５】
工程Ｓ３１８において、前述電流続ける時間が前述続ける時間しきい値をえなかった時に、電流検出ユニット１１４は電流続ける時間をリセットすると、工程Ｓ３１０に返す。すなわち、電流検出ユニット１１４は電源信号（ＳＰ）に対応する電流信号を検出して続ける。
【００３６】
工程Ｓ３２２において、処理ユニット１１０は、ホストシステム１０４へ第一回路１０６の第一温度（Ｔ１）と、第二回路１０８の第二温度（Ｔ２）及び電流信号を回報する。
【００３７】
前述のように、第二回路１０８が第一回路１０６に電気的に接続される前、温度検出ユニット１１２は第一回路１０６の第一温度（Ｔ１）が温度しきい値（Ｔ_ＴＨ）を超えるか否かを判断する。なお、第二回路１０８が第一回路１０６に電気的に接続された後、温度検出ユニット１１２は、第一回路１０６の第一温度（Ｔ１）と第二回路１０８の第二温度（Ｔ２）の一つが温度しきい値（Ｔ_ＴＨ）を超えるか否かを判断すると、正しく第一温度（Ｔ１）及び第二温度（Ｔ２）を検出して、有効的に回路システムの電流がしきい値を超える前、またはしきい値を超えた後に、回路システムのオーバーヒート（ｏｖｅｒｈｅａｔ）問題を解決する。
【００３８】
当該分野の技術を熟知するものが理解できるように、本発明の好適な実施形態を前述の通り開示したが、これらは決して本発明を限定するものではない。本発明の主旨と範囲を脱しない範囲内で各種の変更や修正を加えることができる。従って、本発明の特許請求の範囲は、このような変更や修正を含めて広く解釈されるべきである。
【符号の説明】
【００３９】
１００  回路保護装置
１０２  回路システム
１０４  ホストシステム
１０６  第一回路
１０８  第二回路
１１０  処理ユニット
１１２  温度検出ユニット
１１４  電流検出ユニット
１１６  第一切換スイッチ
１１８  第二切換スイッチ
２００  復号器
２０２  温度検出器
２０４  比較器
２０６  電流検出器
２０８  計時器
【図１】
2011078297.tif 000003
【図２】
2011078297.tif 000004
【図３】
2011078297.tif 000005